(57)【特許請求の範囲】
【請求項１】
１つの印刷製品、または馬乗りの様式の収積によりシーケンシャルに供給された複数の印刷製品（２）から成り、且つ綴じ合わせによって製本された、印刷物、特に定期刊行物、仮とじ本、または書籍を製造するための装置であって、
この装置（１）が、
上記印刷製品（２）を、搬送経路上で拡げ、搬送に有効に形成された１つの収積載置部（１２）上に移送する１つの展開装置（９）を有する１つの供給装置（１０）、および、
この展開装置（９）に後続する１つの綴じ合わせ装置（１５）から成る様式の上記装置において、
上記展開装置（９）の下方で、上記印刷製品（２）の供給方向（Ｆ）に対して横方向に設けられた回転軸線を中心にして延在する上記収積載置部（１２）が、
上記完全な印刷物（３）のために必要な上記印刷製品（２）の１つの収積位置（１１）から、上記綴じ合わせ装置（１５）の１つの綴じ合わせ部（１４）へと、この搬送経路上で、ステップ状に一歩一歩移動されるように構成されていること、
回転軸線を中心にして、４５°の間隔で配設された複数の収積載置部（１２）を有する、１つの回転するローター（１３）によって、上記収積位置（１１）と上記綴じ合わせ部（１４）との間の上記搬送経路が形成されていること、
上記収積載置部（１２）が、上記回転するローター（１３）の半径方向に突出しているウェブとして存在し、このローターが外周上に分配された複数の上記収積載置部（１２）を有していること、
上記搬送経路の下流側の端部が、上記綴じ合わせ部（１４）の後に続く１つの印刷物引渡し装置（１６、１７）として形成されていること、
上記収積位置（１１）と、
上記綴じ合わせ部（１４）と、
上記印刷物引渡し装置（１６、１７）が設けられる１つの位置とが、
上記回転するローター（１３）の周囲に、４５°の、上記収積載置部（１２）のステップ状の回転運動に相応するステップで、順番に配置されていること、
収積された印刷製品（２）が、この綴じ合わせ部（１４）に搬送経路に沿って到達するために、このローター（１３）が４５°だけ回転し、収積位置（１１）と綴じ合わせ部（１４）との間で、この収積載置部（１２）のステップ状の回転運動が行われ、このステップ状の回転運動の１ステップの周期が、完全な印刷物（３）への印刷製品（２）の収積のために必要な時間に基づいて設定されること、
上記装置（１）が、１つの第１のフレーム（１８）を有し、この第１のフレーム（１８）に、上記綴じ合わせ装置（１５）および上記印刷物引渡し装置（１６、１７）が固定されていること、
上記装置（１）が、１つの第２のフレーム（２５）を有し、この第２のフレーム（２５）に、上記供給装置（１０）が固定されていること、
上記綴じ合わせ部（１４）およびこの綴じ合わせ部に回転された１つの収積載置部（１２）が、上記綴じ合わせ装置（１５）を形成すること、および、
上記綴じ合わせ部（１４）が、線材断片を成形する、不動に設けられた１つの曲げ装置、および、上記収積載置部（１２）に設けられた１つの折曲げ装置によって形成された上記綴じ合わせ装置（１５）の成形された線材断片を前進させる１つの押込み装置、を備えていること、
を特徴とする装置。
【請求項２】
印刷物引渡し装置は、搬送装置（１６、１７）であるように構成されていることを特徴とする請求項１に記載の装置。
【請求項３】
印刷物引渡し装置は、印刷物（３）を収積載置部（１２）から取外す除去装置を有することを特徴とする請求項１または２のいずれか一つに記載の装置。
【請求項４】
除去装置は、印刷物（３）の折り目内側縁部に制御されて作用する剣状部材として形成されていることを特徴とする請求項３に記載の装置。
【請求項５】
収積位置（１１）に、表紙折り畳給紙機（２６）が、設けられていることを特徴とする請求項１から４のいずれか一つに記載の装置。
【請求項６】
供給装置（１０）の搬送端部は、印刷紙葉給紙機（５）の展開装置（９）として形成されていることを特徴とする請求項１から５のいずれか一つに記載の装置。
【請求項７】
装置は、計算機により制御された装置（２８）と結合されていることを特徴とする請求項１から６のいずれか一つに記載の装置。
【発明の詳細な説明】
【０００１】
【発明の属する技術分野】
本発明は、１つの印刷製品、または馬乗りの様式の収積によりシーケンシャルに供給された複数の印刷製品から成り、且つ綴じ合わせによって製本された、印刷物、特に定期刊行物、仮とじ本、または書籍を製造するための装置であって、
この装置が、
上記印刷製品を、搬送経路上で拡げ、搬送に有効に形成された１つの収積載置部上に移送する１つの展開装置を有する１つの供給装置、および、
この展開装置に後続する１つの綴じ合わせ装置から成る様式の上記装置に関する。
【０００２】
【従来の技術】
このような装置は、例えば、「インダストリエレ・ブーフビンデライ（製本工業、Ｉｎｄｕｓｔｒｉｅｌｌｅ  Ｂｕｃｈｂｉｎｄｅｒｅｉ）」、ベルーフ＋シューレ（Ｂｅｒｕｆ＋Ｓｃｈｕｌｅ）出版社、１９９７年発行、１７６頁から１８６頁までにおいて記載されているように、いわゆる、収積綴じ合わせ装置によって実施される。
【０００３】
様々の印刷製品は、収積区間に沿って設けられている、複数の給紙機を介して、綴じ合わせ器具の前方に接続された収積装置の、平行の供給部分上に供給される。これら収積綴じ合わせ装置は、印刷製品を、スタッカーまたは他の貯蔵装置から引き出す。
【０００４】
収積綴じ合わせ装置によって印刷製品を経済的に処理するために、印刷物における高い発行部数（Ａｕｆｌａｇｅ）が必要である。即ち、印刷物における必要量が、使用されるべき方法を規定する。従って、同じ印刷物の２０００部に至るまで、デジタルの印刷方法は、オフセット印刷方法に対してより経済的であり、何故ならば、このデジタルの方法が比較的に短い準備時間を必要とし、且つ相応する発行部数の量（Ａｕｆｌａｇｅｇｒｏｅｓｓｅ）において、平均の製造過程所要時間が約８時間必要とするからである、という大まかな規則は、現今いまだに通用している。
【０００５】
【発明が解決しようとする課題】
従って、本発明の課題は、比較的に僅かの発行部数の量（Ａｕｆｌａｇｅｍｅｎｇｅｎ）における冒頭に記載した様式の装置において、最適な経済性を、他の有効と認められている製造装置に比して達成可能とすることである。
【０００６】
【課題を解決するための手段】
この課題は本発明に従い、
上記展開装置の下方で、上記印刷製品の供給方向に対して横方向に設けられた回転軸線を中心にして延在する上記収積載置部が、
上記完全な印刷物のために必要な上記印刷製品の１つの収積位置から、上記綴じ合わせ装置の１つの綴じ合わせ部へと、この搬送経路上で、ステップ状に一歩一歩移動されるように構成されていること、
上記収積位置と上記綴じ合わせ部との間の上記搬送経路が、回転軸線を中心にして、４５°の間隔で配設された複数の収積載置部を有する、１つの回転するローターによって形成されていること、
上記収積載置部が、上記回転するローターの半径方向に突出しているウェブとして存在し、このローターが外周上に分配された複数の上記収積載置部を有していること、
上記搬送経路の下流側の端部が、上記綴じ合わせ部の後に続く１つの印刷物引渡し装置として形成されていること、
上記収積位置と、
上記綴じ合わせ部と、
上記印刷物引渡し装置が設けられる１つの位置とが、
上記回転するローターの周囲に、４５°の、上記収積載置部のステップ状の回転運動に相応するステップで、順番に配置されていること、
収積された印刷製品が、この綴じ合わせ部に搬送経路に沿って到達するために、このローターが４５°だけ回転し、収積位置と綴じ合わせ部との間で、この収積載置部のステップ状の回転運動が行われ、このステップ状の回転運動の１ステップの周期が、完全な印刷物への印刷製品の収積のために必要な時間に基づいて設定されること、
上記装置が、１つの第１のフレームを有し、この第１のフレームに、上記綴じ合わせ装置および上記印刷物引渡し装置が固定されていること、
上記装置が、１つの第２のフレームを有し、この第２のフレームに、上記供給装置が固定されていること、
上記綴じ合わせ部およびこの綴じ合わせ部に回転された１つの収積載置部が、上記綴じ合わせ装置を形成すること、および、
上記綴じ合わせ部が、線材断片を成形する、不動に設けられた１つの曲げ装置、および、上記収積載置部に設けられた１つの折曲げ装置によって形成された上記綴じ合わせ装置の成形された線材断片を前進させる１つの押込み装置、を備えていることを特徴とする装置によって解決される。
【０００７】
印刷物を形成するために、予め定められた印刷製品の順序の、極めて十分な（ｗｅｉｔｅｓｔｇｅｈｅｎｄ）連続的な供給を達成するために、この印刷製品は、有利にデジタル印刷装置において印刷され、且つその後、次の印刷物のための印刷製品の収積の間に、綴じ合わされる。
【０００８】
有利には、収積および綴じ合わせは、搬送経路での、相互に離間する位置において行われる。
【０００９】
本発明により、この装置は、印刷製品を搬送経路上で拡げ、搬送に有効に形成された収積載置部上に移送する展開装置を有する供給装置から成っており、および、この展開装置の下方で、この印刷製品の供給方向に対して横方向に設けられた回転軸線を中心にして延在する収積載置部が、供給された印刷製品の収積位置と綴じ合わせ部との間に形成された搬送経路の部分で、ステップ状に一歩一歩駆動されていることによって特徴付けられている。このことによって、この装置のコンパクトな、且つ簡単な構造様式が達せられる。更に、本発明による装置によって、同様に、オフライン方法において製造された印刷製品も、綴じ合わせされた印刷物に加工され得る。
【００１０】
有利には、複数の、回転軸線を中心にして配設された収積載置部が、設けられており、従って、これら収積載置部は、比較的に短い道程を進み、且つ要求し得る速度でもって駆動され得る。
【００１１】
選択的に、収積位置と綴じ合わせ部との間の搬送経路の部分は、方向転換ドラムの周囲に延在する牽引式伝導装置の、少なくとも１つの牽引手段によって形成されており、これら牽引手段に、規則的な間隔において、収積載置部が固定されている。
【００１２】
綴じ合わせ部および収積載置部が、装置の、簡単な且つコンパクトな構造様式を促進する、綴じ合わせ装置を形成する場合、合目的であることは明らかである。
【００１３】
その際に、綴じ合わせ部が、綴じ合わせクランプのためのものである線材断片を成形する曲げ装置、および、収積載置部に設けられた折曲げ装置によって形成された綴じ合わせ装置の、成形された線材断片を前進させる押込み装置を備えていることは有利である。
【００１４】
印刷物の精確でない投下の代わりに、搬送経路の下流側の端部が、綴じ合わせ部の後に続く印刷物引渡し装置（Ａｕｓｌａｇｅ）として形成されている。
【００１５】
有利には、印刷物引渡し装置は、搬送装置であり、この印刷物引渡し装置が、印刷物の更に先への移送を保証する。
【００１６】
合目的に、印刷物引渡し装置は、印刷物を収積載置部から取外す除去装置（Ａｂｈｅｂｅｖｏｒｒｉｃｈｔｕｎｇ）であり、このために、例えば、印刷物の折り目内側縁部に制御されて作用する剣状部材が、特に適している。
【００１７】
印刷物に、オンラインで、表紙を取付けるために、収積位置に表紙折り畳給紙機が設けられている場合は、合目的であり、この表紙折り畳給紙機によって、折り畳まれるべき表紙が、側方から、緩く収積載置部上に存在する印刷製品上へと載置される。折り畳給紙機または表紙折り畳給紙機は、特に、冒頭に引用された専門書「インダストリーレ・ブーフビンデライ」において、説明されている。
【００１８】
搬送経路を形成するために、少なくとも１つの牽引手段を使用する場合、表紙折り畳給紙機は、印刷製品のための供給装置と綴じ合わせ区間との間に設けられていても良い。
【００１９】
有利には、供給装置の搬送端部は、印刷紙葉給紙機、または周期的な移送装置（Ｔａｋｔｔｒａｎｓｐｏｒｔｅｕｒ）の展開装置によって、形成されていても良く、両方の装填様式、特に後者の規則的運動移送者は、ヨーロッパ特許公開０  ０９５  ６０３号明細書により公知である。
【００２０】
製造されるべき印刷物が、所定の数の印刷製品を有するために、この装置は、本発明による方法を実施するための計算機により制御された装置と結合されている。
【００２１】
引き続いて、本発明を、発明の詳細の説明において述べられていない全ての詳細関連して参照して戴きたい図に関連して、２つの実施例に基づいて説明する。
【００２２】
【発明の実施の形態】
図１は、複数の所定の順序で供給された印刷製品２から成る、線材で綴じ合わせされた、例えば定期刊行物、仮とじ本、または書籍のような、印刷物３を製造するための装置１を示している。これら加工されるべき印刷製品２は、有利には、デジタル印刷機械（図示されていない）から、方向Ｆにおいて鱗状の重ねて整列され（ｇｅｓｃｈｕｐｐｔ）、または個々に貯蔵部４から供給される。この目的で使用される供給手段は、公知であり、従って、もはや説明しない。この貯蔵部４は、印刷紙葉給紙機５の一部であり、この印刷紙葉給紙機が、これら印刷製品２をこの貯蔵部４から引出す搬送ドラム６、および２つの開放ドラム７、８から成る展開装置９から、形成されている。この様式の印刷紙葉給紙機５は、収積綴じ合わせの分野から公知であり、且つ、装置１の供給装置１０を、本実施例において形成する。
【００２３】
別の実施例として、同様に、ヨーロッパ特許公開０  ０９５  ６０３号明細書に記載され且つ示されているような実施形態が、供給装置１０として使用されても良い。図１は、この展開装置９によって拡げられた印刷製品２が、この印刷紙葉給紙機５または供給装置１０を離れ、且つ、後に続く印刷製品２がこの搬送ドラム６から、この展開装置９の捕捉領域内に移送される様子を示している。
【００２４】
これら印刷製品２の搬送経路上の供給部分は、先ず第一に、収積載置部１２によって限定されている収積位置１１において終わる。この収積載置部１２は、１つの回転するローター１３の半径方向に突出しているウェブとして存在し、このローターが外周上に分配された複数の収積載置部１２を有している。これら収積載置部１２は、自由な端部に、鞍形の領域を有し、この領域に、これら印刷製品２が、馬乗り状に下に降ろされる。このローター１３の回転運動は、矢印ｆによって示唆されている。
【００２５】
このローター１３の回転運動は、ステップ状に、これら収積載置部１２の間隔において行われる。印刷物３のために必要な数の印刷製品２の、収積載置部１２上での収積の後、この収積載置部は、搬送経路上で、ステップ状に一歩一歩移動し、且つ綴じ合わせ部１４に到達する。この綴じ合わせ部は、Ｕ字輪郭体へと線材断片を成形するための不動に設けられた曲げ装置によって、および、少なくとも１つの多葉の印刷製品２から形成された印刷物３の折り目を通って、成形された線材断片を押し通すための、後者の曲げ装置と協動する押込み装置によって、特徴付けられている。
【００２６】
両方の装置は、図から読み取り可能ではなく、しかしながら、これら装置は、収積綴じ合わせ装置において公知である。自由な端部において折曲げ装置として形成されている収積載置部１２と共に、綴じ合わせ装置１５が形成しており、この綴じ合わせ装置は、綴じ合わせ間隔に関連して、位置調節可能である。すぐ後に続く収積載置部１２に印刷製品２が、次の印刷物３のために収積される間の時間内に行われる綴じ合わせ工程の原理は、それ自体公知であり、特に「インダストリーレ・ブーフビンデライ」において記載されている。
【００２７】
収積された印刷製品２が、この綴じ合わせ部１４に搬送経路に沿って到達するために、図１における図示に基づいて、このローター１３は、４５°だけ反時計回りに回転する。収積位置１１と綴じ合わせ部１４との間で、この収積載置部１２のステップ状の回転運動が行われ、
このステップ状の回転運動の１ステップの周期が、完全な印刷物３への印刷製品２の収積のために必要な時間に基づいて設定される。
【００２８】
綴じ合わせの後、引き続いての工程に向かって、印刷物３の取り出しが、この収積載置部１２から行われる。この目的で、例えば、自由な端部において制御された放出可能な剣状部材あるいはそのようなものが使用可能であり、この剣状部材は、印刷物３の内側の折り目縁部に作用し、且つ、この印刷物を移送手段１６に引き渡す。移送手段１６として、搬送通路を形成する回転する２つの搬送ベルト対が設けられており、これら搬送ベルト対は、印刷物３を、引き続いての同種の搬送装置１７に転送する。
【００２９】
補足して、装置１は、第１のフレーム１８を有することが確認でき、この第１のフレームに、これら説明された装置構成要素が固定されている。更に、この第１のフレーム１８に、線材断片のために必要とされる、巻き上げられた線材を有する２つのスプール１９の内の１つのスプールが、見て取れる。図２において、供給装置１０を除いて、図１に関して記載された詳細が、立体的に認識できる。
【００３０】
図３は、供給装置１０としての図１および２において図示された印刷紙葉給紙機５、および周囲に延在する収積載置部１２を有するローター１３を、判り易く説明している。側方に位置ずれして、前面において、表紙折り畳給紙機２０が、綴じ合わせ装置１５と結合されており、ローター１３が工程を綴じ合わせのために引き続いて動作する前に、この表紙折り畳給紙機は、折り畳まれた表紙２１を、収積された印刷製品２上に降下させる。
【００３１】
図４において、本発明による装置１の参考例が示されている。この参考例は、図１から３までとは異なって、ローター１３の代わりに、２つの平行に周囲に延在する牽引手段２２、２３から形成された、ステップ状に駆動される牽引式伝導装置を有しており、その際、この牽引手段が、ウェブ状の、搬送方向Ｑに対して横方向に指向する収積載置部１２によって互いに結合されている。上側の、これら牽引手段２２、２３によって形成された車間部分に沿って、上流側の端部において、印刷紙葉給紙機５から形成された供給装置１０が、印刷製品２のために設けられている。空間を節約する配置方法の意味において、この供給装置１０は、牽引式伝導装置の端部を形成する方向転換ドラム２４の上方で第２のフレーム２５に固定されており、この第２のフレームに、この供給装置１０が載置されている。
【００３２】
供給装置１０に後置されて、上側の車間部分に沿って、綴じ合わせ部１４の手前に、表紙給紙機２６が存在し、この表紙給紙機によって、折り畳まれた表紙２１は、供給装置１０内におけるように、それぞれに収積された印刷製品２上に、拡げられて載置される。
【００３３】
もちろん、図４において図示されたような１つの参考例において、供給装置１０と綴じ合わせ部１４との間で、表紙折り畳給紙機２０の代わりに、図３において図示されているように、表紙給紙機２６を設置しないことによって、牽引式伝導装置の長さは、著しく短縮され得る。
【００３４】
上記のように変更された参考例または図４において図示された装置１において、綴じ合わせ装置１５は、他方また、固定式に設けられた曲げ兼押込み装置（見て取れない）、および収積載置部１２内に一体にされた折曲げ装置によって形成されており、且つ１つのローター１３の代わりに、駆動される方向転換ドラム２７が設けられている。
【００３５】
図１から３までによる実施形態の更なる利点は、同様に、図４および５による選択的な装置１にも含まれている。図４および５に対する更なる説明は、従って、不必要である。
【００３６】
当然の帰結として、図４において、制御装置２８が図示されており、この制御装置は、計算機部Ｒおよび制御部Ｓを有しており、この制御部が装置１の個々の機構ユニットと、制御に有効に結合されている。
【図面の簡単な説明】
【図１】  本発明による方法を実施するために設けられた装置の側面図である。
【図２】  図１による装置を立体的に図示した図である。
【図３】  印刷製品の供給／収積領域における、図２による装置を抜粋して立体的に図示した図である。
【図４】  参考例の選択的な装置の側面図である。
【図５】  図４による装置を立体的に図示した図である。
【符号の説明】
１    装置
２    印刷製品
３    印刷物
４    貯蔵部
５    印刷紙葉給紙機
６    搬送ドラム
７、８  開放ドラム
９    展開装置
１０  供給装置
１１  収積位置
１２  収積載置部
１３  ローター
１４  綴じ合わせ部
１５  綴じ合わせ装置
１６  移送手段
１７  搬送装置
１８  第１のフレーム
１９  スプール
２０  表紙折り畳給紙機
２１  表紙
２２、２３  牽引手段
２４  方向転換ドラム
２５  第２のフレーム
２６  表紙給紙機
２７  方向転換ドラム
２８  制御装置
ｆ    矢印
Ｆ    供給方向
Ｑ    搬送方向
Ｒ    計算機部
Ｓ    制御部
【図１】
0005008243.tif 000002
【図２】
0005008243.tif 000003
【図３】
0005008243.tif 000004
【図４】
0005008243.tif 000005
【図５】
0005008243.tif 000006